(57)【要約】【課題】  パイプに掛けられた状態にあるハンガーにも取り付けることができる、衣服用の襟保護具を提供する。【解決手段】  襟保護具３は、ハンガー１に取り付けられて、そのハンガー１に掛けられた衣服２の襟２ａを保護する保護具である。この襟保護具３は、密に重なる衣服２の襟２ａのつぶれを防止する保護具本体４と、保護具本体４をハンガー１に取り付けるための取付部５とを備える。ここにおいて、取付部５には、ハンガー１の吊下フック１ａの基端部分が挿通される挿通孔５ａと、その挿通孔５ａと取付部５の外側である外部とを連通する連通部５ｂとが設けられる。そして、吊下フック１ａの基端部分は、連通部５ｂを通って前記挿通孔５ａに進入可能となっている。【選択図】  図１
2005137499.tif 000002
【特許請求の範囲】
【請求項１】
衣服用のハンガーに取り付けられて、前記ハンガーに掛けられた衣服の襟を保護する襟保護具であって、
密に重なる前記衣服の襟のつぶれを防止すべく、前記衣服の襟元部分に配置される保護具本体と、
前記保護具本体を前記ハンガーに取り付けるべく、前記ハンガーの吊下フックにおける基端部分に嵌められる取付部とを備え、
前記取付部には、前記吊下フックの基端部分が挿通される挿通孔と、その挿通孔と前記取付部の外側である外部とを連通する連通部とが設けられ、
前記吊下フックの基端部分は、前記連通部を通って前記挿通孔に進入可能であることを特徴とする、衣服用の襟保護具。
【請求項２】
前記保護具本体から上方に延設された延設部を備え、
その延設部に前記取付部が設けられていることを特徴とする請求項１に記載の、衣服用の襟保護具。
【請求項３】
前記取付部は、前記延設部の先端側に設けられ、
前記延設部は、前記取付部と前記保護具本体との間がそれら取付部と保護具本体とを連接する連接部となって、その連接部に、湾曲可能な可撓部あるいは屈曲可能な可屈部が備わることを特徴とする請求項２に記載の、衣服用の襟保護具。
【請求項４】
前記連通部は、前記取付部の右側または左側に開口していることを特徴とする請求項１ないし３のいずれか１項に記載の、衣服用の襟保護具。
【請求項５】
前記取付部は、相対的に径大となる前記吊下フックの基端部分に嵌められる第１取付部と、相対的に径小となる前記吊下フックの基端部分に嵌められる第２取付部とを有し、
前記挿通孔は、前記第１取付部に設けられて、相対的に径大となる前記吊下フックの基端部分が挿通される、相対的に径大な第１挿通孔と、前記第２取付部に設けられて、相対的に径小となる前記吊下フックの基端部分が挿通される、相対的に径小な第２挿通孔とを有することを特徴とする請求項１ないし４のいずれか１項に記載の、衣服用の襟保護具。
【請求項６】
前記取付部は、前記第１挿通孔と前記第２挿通孔とを連通する通路を有し、
前記連通部は、前記第１取付部に設けられて、前記第１挿通孔と前記第１取付部の外側である外部とを連通する第１連通部と、前記通路と前記第１挿通孔と前記第１連通部とから構成されて、前記第２挿通孔と前記取付部の外側である外部とを連通する第２連通部とを有し、
相対的に径大となる前記吊下フックの基端部分は、前記第１連通部を通って前記第１挿通孔に進入可能であり、相対的に径小となる前記吊下フックの基端部分は、前記第２連通部を通って前記第２挿通孔に進入可能であることを特徴とする請求項５に記載の、衣服用の襟保護具。
【請求項７】
前記保護具本体は、前方に張り出して前記衣服の左右の前襟間に挟まれる本体部を有し、その本体部に、前後に貫通して前記衣服の背側を前方から視認することができる開口孔が形成されていることを特徴とする請求項１ないし６のいずれか１項に記載の、衣服用の襟保護具。
【請求項８】
前記保護具本体は、前方に張り出して前記衣服の左右の前襟間に挟まれる本体部と、その本体部の後端から少なくとも左右の側方に延設された鍔部とを有することを特徴とする請求項１ないし７のいずれか１項に記載の、衣服用の襟保護具。
【請求項９】
前記保護具本体の少なくとも前面側を覆うパッドが設けられてなる請求項１ないし８のいずれか１項に記載の、衣服用の襟保護具。
【請求項１０】
前記パッドは、前記保護具本体の、前面側と後面側とを覆うことを特徴とする請求項９に記載の、衣服用の襟保護具。
【請求項１１】
前記パッドは、シート材からなり、そのシート材が折り返されるようにして、前記保護具本体の、前面側と後面側とを覆うことを特徴とする請求項１０に記載の、衣服用の襟保護具。
【請求項１２】
前記保護具本体には、複数の通孔が形成され、
前記パッドは、そのパッドと前記通孔とを貫通する止め具によって、前記保護具本体に固定されていることを特徴とする請求項９ないし１１のいずれか１項に記載の、衣服用の襟保護具。
【発明の詳細な説明】
【技術分野】
【０００１】
この発明は、衣服用のハンガーに取り付けられて、衣服の襟を保護する、衣服用の襟保護具に関するものである。
【背景技術】
【０００２】
従来より、衣服用のハンガーに取り付けられて、衣服の襟を保護する襟保護具があった（例えば、特許文献１参照）。図１３に示すように、この襟保護具２１は、カップ状に形成されて衣服２２の襟元部分に配置される本体２３と、その本体２３から上方に延びるシート状の取付部２４とから構成されていた。そして、取付部２４には、取付孔２４ａが明けられていた。そこで、この取付孔２４ａに、ハンガー２５の吊下フック２５ａを先端から通すことで、この襟保護具２１は、ハンガー２５に取り付けられた。
【０００３】
【特許文献１】意匠登録第１１８７２３６号公報
【発明の開示】
【発明が解決しようとする課題】
【０００４】
ところで、前記従来の襟保護具２１においては、その襟保護具２１をハンガー２５に取り付けるにあたって、ハンガー２５の吊下フック２５ａをその先端から基端部分まで前記取付孔２４ａに通すようにしなければならなかった。このため、ハンガー２５がハンガーラック等のパイプに掛けられた状態では、この襟保護具２１をハンガー２５に取り付けることができなかった。したがって、この場合には、一旦、ハンガー２５をパイプから外した後に、そのハンガー２５に襟保護具２１を取り付け、再度、ハンガー２５をパイプに掛け直さなければならず、大変面倒であった。
【０００５】
この発明は、上記した従来の欠点を解決するためになされたものであり、その目的とするところは、パイプに掛けられた状態にあるハンガーにも取り付けることができる、衣服用の襟保護具を提供することにある。
【課題を解決するための手段】
【０００６】
この発明に係る衣服用の襟保護具は、前記目的を達成するために、次の構成からなる。すなわち、
請求項１に記載の発明に係る衣服用の襟保護具は、衣服用のハンガーに取り付けられて、前記ハンガーに掛けられた衣服の襟を保護する襟保護具である。この襟保護具は、密に重なる前記衣服の襟のつぶれを防止すべく、前記衣服の襟元部分に配置される保護具本体と、前記保護具本体を前記ハンガーに取り付けるべく、前記ハンガーの吊下フックにおける基端部分に嵌められる取付部とを備える。そこで、前記取付部には、前記吊下フックの基端部分が挿通される挿通孔と、その挿通孔と前記取付部の外側である外部とを連通する連通部とが設けられる。そして、前記吊下フックの基端部分は、前記連通部を通って前記挿通孔に進入可能となっている。
【０００７】
これにより、この襟保護具を衣服用のハンガーに取り付けるには、そのハンガーの吊下フックにおける基端部分を、取付部に設けられた連通部を通して挿通孔に進入させる。こうして、吊下フックは、挿通孔を挿通し、この襟保護具は、ハンガーに取り付けられる。このとき、襟保護具の保護具本体は、衣服の襟元部分に配置されることとなり、こうして、密に重なる衣服の襟のつぶれが防止される。そして、襟保護具をハンガーに取り付けるにあたって、ハンガーにおける吊下フックの基端部分が、襟保護具の取付部に設けられた連通部を通って挿通孔に進入するので、ハンガーが、ハンガーラック等のパイプに掛けられた状態であっても、この襟保護具は、ハンガーに取り付け可能となる。
【０００８】
また、請求項２に記載の発明に係る衣服用の襟保護具のように、請求項１に記載の襟保護具において、前記保護具本体から上方に延設された延設部を備え、その延設部に前記取付部が設けられてもよい。
【０００９】
また、請求項３に記載の発明に係る衣服用の襟保護具のように、請求項２に記載の襟保護具において、前記取付部は、前記延設部の先端側に設けられ、前記延設部は、前記取付部と前記保護具本体との間がそれら取付部と保護具本体とを連接する連接部となって、その連接部に、湾曲可能な可撓部あるいは屈曲可能な可屈部が備わってもよい。このように、取付部と保護具本体との間の連接部に、湾曲可能な可撓部あるいは屈曲可能な可屈部を設けることで、保護具本体を、衣服の襟元部分に容易に配置することができる。
【００１０】
また、請求項４に記載の発明に係る衣服用の襟保護具のように、請求項１ないし３のいずれか１項に記載の襟保護具において、前記連通部は、前記取付部の右側または左側に開口してもよい。これにより、襟保護具をハンガーに取り付ける際には、吊下フックにおける基端部分を、取付部の右側または左側に開口する連通部を通して挿通孔に進入させる。そして、このように、連通部が、取付部の右側または左側に開口することから、ハンガーに取り付けられた襟保護具における保護具本体に、衣服の重さが作用したときに、この取付部は、吊下フックから外れ難い。
【００１１】
また、請求項５に記載の発明に係る衣服用の襟保護具のように、請求項１ないし４のいずれか１項に記載の襟保護具において、前記取付部は、相対的に径大となる前記吊下フックの基端部分に嵌められる第１取付部と、相対的に径小となる前記吊下フックの基端部分に嵌められる第２取付部とを有し、前記挿通孔は、前記第１取付部に設けられて、相対的に径大となる前記吊下フックの基端部分が挿通される、相対的に径大な第１挿通孔と、前記第２取付部に設けられて、相対的に径小となる前記吊下フックの基端部分が挿通される、相対的に径小な第２挿通孔とを有してもよい。こうして、相対的に径大となる前記吊下フックの基端部分に嵌められる第１取付部と、相対的に径小となる前記吊下フックの基端部分に嵌められる第２取付部とを設けることで、この襟保護具を、吊下フックの基端部分の径が異なる各種のハンガーに適切に取り付けることができる。
【００１２】
また、請求項６に記載の発明に係る衣服用の襟保護具のように、請求項５に記載の襟保護具において、前記取付部は、前記第１挿通孔と前記第２挿通孔とを連通する通路を有し、前記連通部は、前記第１取付部に設けられて、前記第１挿通孔と前記第１取付部の外側である外部とを連通する第１連通部と、前記通路と前記第１挿通孔と前記第１連通部とから構成されて、前記第２挿通孔と前記取付部の外側である外部とを連通する第２連通部とを有してもよい。そこで、相対的に径大となる前記吊下フックの基端部分は、前記第１連通部を通って前記第１挿通孔に進入可能となり、相対的に径小となる前記吊下フックの基端部分は、前記第２連通部を通って前記第２挿通孔に進入可能となる。
【００１３】
また、請求項７に記載の発明に係る衣服用の襟保護具のように、請求項１ないし６のいずれか１項に記載の襟保護具において、前記保護具本体は、前方に張り出して前記衣服の左右の前襟間に挟まれる本体部を有し、その本体部に、前後に貫通して前記衣服の背側を前方から視認することができる開口孔が形成されていてもよい。これにより、衣服の左右の前襟間に挟まれる本体部によって、衣服が密に重なったときの襟のつぶれが防止される。そして、本体部に形成された開口孔を通して、衣服の背側を前方から視認することが可能となり、この襟保護具をハンガーに取り付けたことによる違和感が軽減される。
【００１４】
また、請求項８に記載の発明に係る衣服用の襟保護具のように、請求項１ないし７のいずれか１項に記載の襟保護具において、前記保護具本体は、前方に張り出して前記衣服の左右の前襟間に挟まれる本体部と、その本体部の後端から少なくとも左右の側方に延設された鍔部とを有してもよい。これにより、衣服の左右の前襟間に挟まれる本体部によって、衣服が密に重なったときの襟のつぶれが防止される。そして、本体部の後端から少なくとも左右の側方に延設された鍔部は、前襟の裏面側に位置することとなる。こうして、保護具本体は、本体部を介して左右の位置が規制され、そして、鍔部を介して前後の位置が規制されて、所定の位置に保持される。
【００１５】
また、請求項９に記載の発明に係る衣服用の襟保護具のように、請求項１ないし８のいずれか１項に記載の襟保護具において、前記保護具本体の少なくとも前面側を覆うパッドが設けられてもよい。このように、保護具本体の少なくとも前面側を覆うパッドを設けることで、この保護具本体と襟や前身頃との当たりを和らげることができる。そして、保護具本体が、前方に張り出して衣服の左右の前襟間に挟まれる本体部を有する場合には、パッドにより、この本体部と、前側に重なる他の衣服の背との当たりを和らげることができる。
【００１６】
また、請求項１０に記載の発明に係る衣服用の襟保護具のように、請求項９に記載の襟保護具において、前記パッドは、前記保護具本体の、前面側と後面側とを覆ってもよい。こうして、このパッドにより、保護具本体と襟や前身頃等との当たりを和らげるだけでなく、保護具本体と衣服の後ろ身頃との当たりを和らげることができる。
【００１７】
また、請求項１１に記載の発明に係る衣服用の襟保護具のように、請求項１０に記載の襟保護具において、前記パッドは、シート材からなり、そのシート材が折り返されるようにして、前記保護具本体の、前面側と後面側とを覆ってもよい。
【００１８】
また、請求項１２に記載の発明に係る衣服用の襟保護具のように、請求項９ないし１１のいずれか１項に記載の襟保護具において、前記保護具本体には、複数の通孔が形成され、前記パッドは、そのパッドと前記通孔とを貫通する止め具によって、前記保護具本体に固定されてもよい。こうして、止め具が、パッドと保護具本体に形成された通孔とを貫通することで、このパッドは、保護具本体に確実に固定される。
【発明の効果】
【００１９】
以上、詳述したところから明らかなように、この発明に係る衣服用の襟保護具によれば、ハンガーの吊下フックにおける基端部分を、取付部に設けられた連通部を通して挿通孔に進入させることで、ハンガーラック等のパイプに掛けられた状態にあるハンガーにも、この襟保護具を取り付けることができる。
【発明を実施するための最良の形態】
【００２０】
以下、この発明に係る衣服用の襟保護具を実施するための最良の形態を図面に基づいて説明する。
【００２１】
図１ないし図７は、本発明に係る衣服用の襟保護具の一実施の形態を示す。図中符号１は、衣服用のハンガーである。２は、前記ハンガー１に掛けられる衣服である。３は、前記ハンガー１に取り付けられて、そのハンガー１に掛けられた衣服２の襟２ａを保護する襟保護具である。
【００２２】
この襟保護具３は、保護具本体４と取付部５とを備える。保護具本体４は、密に重なる衣服２、２の襟２ａのつぶれを防止すべく、衣服２の襟元部分に配置される。この保護具本体４は、前方に張り出して衣服２の左右の前襟２ｂ、２ｂ間に挟まれる本体部４ａを有している。この本体部４ａには、前後に貫通して衣服２の背側を前方から視認することができる開口孔４ｂが形成されている。また、保護具本体４は、前記本体部４ａの後端から少なくとも左右の側方に延設された鍔部４ｃを有している。なお、図示実施の形態においては、鍔部４ｃは、本体部４ａの後端全周から外方に延設されて形成されている。
【００２３】
一方、取付部５は、保護具本体４をハンガー１に取り付けるべく、ハンガー１の吊下フック１ａにおける基端部分に嵌められる。この取付部５には、吊下フック１ａの基端部分が挿通される挿通孔５ａと、その挿通孔５ａと取付部５の外側である外部とを連通する連通部５ｂとが設けられている。そこで、吊下フック１ａの基端部分は、連通部５ｂを通って挿通孔５ａに進入可能となっている。なお、図示実施の形態においては、連通部５ｂは、取付部５の右側に開口している。
【００２４】
また、この襟保護具３は、保護具本体４から上方に延設された延設部６を備えている。そして、その延設部６に前記取付部５が設けられている。図示実施の形態においては、取付部５は、延設部６の先端側に設けられている。また、延設部６は、取付部５と保護具本体４との間が、それら取付部５と保護具本体４とを連接する連接部７となっている。そして、その連接部７に、湾曲可能な（詳細には、前後に湾曲可能な）可撓部７ａが備わっている。
【００２５】
ここにおいて、前記取付部５は、相対的に径大となる吊下フック１ａの基端部分に嵌められる第１取付部５０１と、相対的に径小となる吊下フック１ａの基端部分に嵌められる第２取付部５０２とを有している。そして、前記挿通孔５ａは、第１取付部５０１に設けられた、相対的に径大な第１挿通孔５１１と、第２取付部５０２に設けられた、相対的に径小な第２挿通孔５１２とを有している。そこで、第１挿通孔５１１には、相対的に径大となる吊下フック１ａの基端部分が挿通される。そして、第２挿通孔５１２には、相対的に径小となる吊下フック１ａの基端部分が挿通される。
【００２６】
また、取付部５は、第１挿通孔５１１と第２挿通孔５１２とを連通する通路５２０を有している。そして、前記連通部５ｂは、第１連通部５３１と第２連通部５３２とを有している。ここで、第１連通部５３１は、第１取付部５０１に設けられて、第１挿通孔５１１と第１取付部５０１の外側である外部とを連通するものである。そして、第２連通部５３２は、前記通路５２０と第１挿通孔５１１と第１連通部５３１とから構成されて、第２挿通孔５１２と取付部５の外側である外部とを連通するものである。そこで、相対的に径大となる吊下フック１ａの基端部分は、第１連通部５３１を通って第１挿通孔５１１に進入可能となっており、相対的に径小となる吊下フック１ａの基端部分は、第２連通部５３２を通って第２挿通孔５１２に進入可能となっている。
【００２７】
具体的には、襟保護具３は、ポリプロピレン樹脂等の合成樹脂製であって、保護具本体４と、取付部５を有する延設部６とが、一体に成形されている。保護具本体４における本体部４ａは、前方に張り出すようにして周面を形成する周壁４ｄと、その周壁４ｄの前端から延設されて前面を形成する前壁４ｅとからなる。詳細には、周壁４ｄは、前方ほど径小となるように傾斜して形成されている。そして、前壁４ｅは、下方ほど前方に突出するように傾斜して形成されている。そこで、この前壁４ｅに、前記開口孔４ｂが明けられている。そして、この開口孔４ｂは、前壁４ｅを、周囲に若干残すようにして明けられている。また、この前壁４ｅには、開口孔４ｂの周縁から、後方に折れ曲がって形成された補強リブ４ｆが設けられている。一方、保護具本体４における鍔部４ｃは、周壁４ｄの後端から外方に折れ曲がって形成されている。そして、この鍔部４ｃに、複数の通孔４ｇ、４ｇが形成されている。
【００２８】
延設部６における取付部５は、第１取付部５０１と第２取付部５０２とが、並ぶようにして形成されている。詳細には、これら第１取付部５０１と第２取付部５０２とは、それぞれ円筒形状に形成されるとともに、それぞれの円筒形状が若干重なるように形成されている。そして、第１取付部５０１と第２取付部５０２とは、それらの円筒形状の内部が、前記第１挿通孔５１１および前記第２挿通孔５１２となり、それら第１挿通孔５１１と第２挿通孔５１２とが、通路５２０を介して連通している。そして、前記第１連通部５３１は、第１取付部５０１における円筒形状の側面部（右側面部）を切り欠くようにして形成されている。なお、図示実施の形態においては、第１取付部５０１と第２取付部５０２とが、上下に並んで、特に、第１取付部５０１が下側となり第２取付部５０２が上側となるように並んで、形成されている（図３参照）。もっとも、この襟保護具３をハンガー１に取り付けた状態では、連接部７における可撓部７ａが撓むことで、第１取付部５０１が前側に位置し、第２取付部５０２が後側に位置することとなる（図６参照）。
【００２９】
また、連接部７は、板状（薄肉板状）に形成されて、その全体が、前後に湾曲可能な可撓部７ａとなっている（図３、図４参照）。そして、この可撓部７ａは、保護具本体４側にあって相対的に幅広の第１可撓部７０１と、取付部５側にあって相対的に幅狭の第２可撓部７０２とからなっている。そして、図示実施の形態においては、連接部７（詳細には、第１可撓部７０１）は、保護具本体４側が、その鍔部４ｃに繋がっている。そして、連接部７（詳細には、第２可撓部７０２）は、取付部５側が、その第１取付部５０１に繋がっている。
【００３０】
次に、以上の構成からなる襟保護具３の作用効果について説明する。この襟保護具３を衣服用のハンガー１に取り付けるには、そのハンガー１の吊下フック１ａにおける基端部分を、取付部５（詳細には、第１取付部５０１または第２取付部５０２）に設けられた連通部５ｂ（詳細には、第１連通部５３１または第２連通部５３２）を通して挿通孔５ａ（詳細には、第１挿通孔５１１または第２挿通孔５１２）に進入させる。こうして、吊下フック１ａは、挿通孔５ａを挿通し、この襟保護具３は、ハンガー１に取り付けられる。そして、襟保護具３をハンガー１に取り付けるにあたって、ハンガー１における吊下フック１ａの基端部分が、襟保護具３の取付部５に設けられた連通部５ｂを通って挿通孔５ａに進入するので、ハンガー１が、ハンガーラック等のパイプに掛けられた状態であっても、この襟保護具３を、ハンガー１に取り付けることができる。なお、図示実施の形態においては、第１連通部５３１は、相対的に径大となる吊下フック１ａの基端部分の径よりも幅狭に明けられており、この吊下フック１ａの基端部分が第１連通部５３１を通過する際には、その第１連通部５３１は、押し広げられ、吊下フック１ａの基端部分が通過した後に、その第１連通部５３１は、取付部５の弾性によって元に戻る。同様に、通路５２０は、相対的に径小となる吊下フック１ａの基端部分の径よりも幅狭に明けられており、この吊下フック１ａの基端部分が通路５２０を通過する際には、その通路５２０は、押し広げられ、吊下フック１ａの基端部分が通過した後に、その通路５２０は、取付部５の弾性によって元に戻る。
【００３１】
このようにして、襟保護具３がハンガー１に取り付けられると、襟保護具３の保護具本体４は、衣服２の襟元部分に配置されることとなる。このとき、図示実施の形態においては、襟保護具３は、取付部５と保護具本体４との間の連接部７に、湾曲可能な可撓部７ａが設けられており、保護具本体４を、衣服２の襟元部分に容易に配置することができる。また、ここにおいて、保護具本体４における本体部４ａは、衣服２の左右の前襟２ｂ、２ｂ間に挟まれ、そして、本体部４ａの後端から延設された鍔部４ｃは、前襟２ｂ、２ｂの後方、すなわち裏面側に位置することとなる。こうして、保護具本体４は、本体部４ａを介して左右の位置が規制され、そして、鍔部４ｃを介して前後の位置が規制されて、所定の位置に保持される。しかも、本体部４ａに形成された開口孔４ｂを通して、衣服２の背側を前方から視認することが可能となり、この襟保護具３をハンガー１に取り付けたことによる違和感が軽減される。そして、このハンガー１に掛けられた状態の衣服２を、ハンガー車に積んだり、箱詰め等した際に、保護具本体４、特に、保護具本体４の、衣服２の左右の前襟２ｂ、２ｂ間に挟まれる本体部４ａによって、密に重なる衣服２、２における、襟２ａのつぶれが防止される。
【００３２】
また、襟保護具３をハンガー１に取り付ける際には、吊下フック１ａにおける基端部分を、取付部５（詳細には、第１取付部５０１または第２取付部５０２）の右側に開口する連通部５ｂ（詳細には、第１連通部５３１または第２連通部５３２）を通して挿通孔５ａ（詳細には、第１挿通孔５１１または第２挿通孔５１２）に進入させる。そして、このように、連通部５ｂが、取付部５の右側に、すなわち横方向に開口することから、ハンガー１に取り付けられた襟保護具３における保護具本体４に、衣服２の重さ等が作用したときに、この取付部５は、吊下フック１ａから外れ難い。
【００３３】
また、取付部５は、相対的に径大となる吊下フック１ａの基端部分に嵌められる第１取付部５０１と、相対的に径小となる吊下フック１ａの基端部分に嵌められる第２取付部５０２とを有している。これにより、この襟保護具３を、吊下フック１ａの基端部分の径が異なる各種のハンガー１に適切に取り付けることができる。ところで、図示実施の形態においては、第１取付部５０１が、相対的に径大となる吊下フック１ａの基端部分に嵌められている（図７参照）。
【００３４】
なお、本発明は、上述した実施の形態に限定されるわけではなく、その他種々の変更が可能である。例えば、図８ないし図１１に示すように、襟保護具３には、保護具本体４の、前面側と後面側とを覆うパッド８が設けられてもよい。ここで、パッド８は、例えば、中間部に括れ部Ｑを備えて大小のパッド部Ｐ１、Ｐ２を形成するシート材からなり、そのシート材が、例えば保護具本体４の上端部において、前記括れ部Ｑを境に折り返されるようにして、保護具本体４の、前面側と後面側とを覆っている。このとき、延設部６が、パッド８に形成された切り込み８ａに挿通される。そして、パッド８は、そのパッド８と、保護具本体４（図示実施の形態においては、鍔部４ｃ）に形成された通孔４ｇとを貫通する止め具９によって、保護具本体４に固定されている。この止め具９は、例えば、略Ｈ字形状に形成されて、その中央部分９ａがパッド８と通孔４ｇとを貫通し、両側の延出部分９ｂ、９ｂが、パッド８を鍔部４ｃに密接するように押さえている。この襟保護具３によると、パッド８が、保護具本体４の前面側を覆うことから、この保護具本体４と、衣服２における襟２ａや前身頃との当たりを和らげることができる。さらに、保護具本体４の前面側を覆うパッド８により、保護具本体４における、前方に張り出して左右の前襟２ｂ、２ｂ間に挟まれる本体部４ａと、前側あるいは上側に重なる他の衣服２の背との当たりを和らげることができる。そして、パッド８が、保護具本体４の後面側を覆うことから、保護具本体４と衣服２の後ろ身頃との当たりを和らげることができる。また、止め具９が、パッド８と保護具本体４に形成された通孔４ｇとを貫通することで、このパッド８は、保護具本体４に確実に固定される。ここにおいて、パッド８は、ポリウレタンフォーム等の、発泡プラスチックからなるが、衣服２との接触を和らげる材料であれば、どのようなものでもよい。そして、パッド８は、シート材からならなくとも、予め、保護具本体４の形状に合わせて成形されていても構わない。また、このパッド８は、保護具本体４の、前面側と後面側との両方を覆うものでなくとも、前面側のみを覆うものであってもよい。すなわち、パッド８は、保護具本体４の少なくとも前面側を覆うものであればよい。また、止め具９は、ホッチキスから押し出される綴じ金具等であってもよく、さらには、止め具９を用いることなく、熱溶着等によって、パッド８を保護具本体４に止めてもよい。
【００３５】
また、連通部５ｂ（詳細には、第１連通部５３１および第２連通部５３２）は、取付部５の右側に開口しているが、左側に開口していてもよい。さらに、連通部５ｂは、図１２に示すように、上側に開口していてもよく、その開口方向は、特に限定されない。なお、この図１２においては、第１取付部５０１が上側に位置し、第２取付部５０２が下側に位置している。
【００３６】
また、取付部５は、相対的に径大となる吊下フック１ａの基端部分に嵌められる第１取付部５０１と、相対的に径小となる吊下フック１ａの基端部分に嵌められる第２取付部５０２とを有しているが、加えて、その他の径の吊下フック１ａの基端部分に嵌められる取付部を有してもよい。反対に、取付部５は、複数の取付部を有することなく、単一の取付部からなっていてもよい。
【００３７】
また、取付部５と保護具本体４とを連接する連接部７には、湾曲可能な可撓部７ａが備わっているが、その可撓部７ａに替えて、あるいは、その可撓部７ａに加えて、屈曲可能な可屈部が備わっていてもよい。また、連接部７に、可撓部７ａとか可屈部を設けることなく、連接部７が、始めから、ハンガー１に沿わせることができるような湾曲あるいは屈曲した形状を有していてもよい。
【００３８】
また、この襟保護具３は、保護具本体４から上方に延設された延設部６を備えて、その延設部６に取付部５が設けられているが、この延設部６を備えることなく、保護具本体４の上部部分に、取付部５が設けられてもよい。
【００３９】
また、保護具本体４における本体部４ａには、開口孔４ｂが明けられているが、この開口孔４ｂは無くともよい。そして、保護具本体４は、本体部４ａの他に、鍔部４ｃを有しているが、この鍔部４ｃは無くともよい。
【図面の簡単な説明】
【００４０】
【図１】この発明の一実施の形態の、襟保護具の正面図である。
【図２】同じく、図１におけるＡ−Ａ線による断面図である。
【図３】同じく、図１における要部拡大図である。
【図４】同じく、図３におけるＢ矢視図である。
【図５】同じく、襟保護具をハンガーに取り付けた状態を示す正面図である。
【図６】同じく、襟保護具をハンガーに取り付けた状態を示す右側面図である。
【図７】同じく、図５におけるＣ−Ｃ線による拡大断面図である。
【図８】この発明の他の実施の形態の、襟保護具の正面図である。
【図９】同じく、襟保護具の右側面図である。
【図１０】同じく、図８におけるＤ−Ｄ線による拡大断面図である。
【図１１】同じく、パッドの展開図である。
【図１２】この発明のさらに他の実施の形態の、図３相当図である。
【図１３】従来の襟保護具を示す正面図である。
【符号の説明】
【００４１】
１  ハンガー
２  衣服
２ａ  襟
２ｂ  前襟
３  襟保護具
４  保護具本体
４ａ  本体部
４ｂ  開口孔
４ｃ  鍔部
４ｇ  通孔
５  取付部
５ａ  挿通孔
５ｂ  連通部
６  延設部
７  連接部
７ａ  可撓部
８  パッド
９  止め具
５０１  第１取付部
５０２  第２取付部
５１１  第１挿通孔
５１２  第２挿通孔
５２０  通路
５３１  第１連通部
５３２  第２連通部
【図１】
2005137499.tif 000003
【図２】
2005137499.tif 000004
【図３】
2005137499.tif 000005
【図４】
2005137499.tif 000006
【図５】
2005137499.tif 000007
【図６】
2005137499.tif 000008
【図７】
2005137499.tif 000009
【図８】
2005137499.tif 000010
【図９】
2005137499.tif 000011
【図１０】
2005137499.tif 000012
【図１１】
2005137499.tif 000013
【図１２】
2005137499.tif 000014
【図１３】
2005137499.tif 000015